(57)【特許請求の範囲】
【請求項１】
被測定者の所定の身体部位に巻き付けるためのカフと、
前記カフ内の圧力を表わすカフ圧を検出するための圧力検出手段と、
前記被測定者の動脈の容積を示す動脈容積信号を検出するための容積検出手段と、
前記カフ圧および前記動脈容積信号に基づいて、前記被測定者の血圧を導出するための導出制御を行なう導出制御手段とを備え、
前記導出制御手段は、
前記動脈容積信号に基づく容積脈波についての包絡線を抽出するための第１の抽出手段と、
前記包絡線をカフ圧で微分するための微分手段と、
前記包絡線の微分値の最大値を抽出するための第２の抽出手段と、
前記最大値の微分に用いられたカフ圧に基づいて、血圧を決定するための決定手段とを含み、
前記包絡線は、前記容積脈波に含まれる脈波成分それぞれの動脈容積最小点に接する容積最小点包絡線と、前記容積脈波に含まれる脈波成分それぞれの動脈容積最大点に接する容積最大点包絡線を含み、
前記微分手段は、前記容積最小点包絡線と前記容積最大点包絡線をそれぞれ微分し、
前記第２の抽出手段は、前記容積最小点包絡線の微分値の最大値を表わす第１最大値と、前記容積最大点包絡線の微分値の最大値を表わす第２最大値を抽出し、
前記決定手段は、前記第１最大値の微分に用いられたカフ圧を最低血圧として、前記第２最大値の微分に用いられたカフ圧を最高血圧としてそれぞれ決定する、血圧測定装置。
【請求項２】
前記カフ内の圧力を調整するための調整手段と、
前記調整手段の駆動を制御するための駆動制御手段とをさらに備え、
前記導出制御手段は、前記駆動制御手段によりカフ圧が一定速度で減圧または加圧されている際に、前記導出制御を行なう、請求項１に記載の血圧測定装置。
【請求項３】
前記カフ内の圧力を調整するための調整手段と、
前記調整手段の駆動を制御するための駆動制御手段とをさらに備え、
前記導出制御手段は、前記駆動制御手段によりカフ圧が所定の圧力差で段階的に減圧または加圧の制御がされている際に、前記導出制御を行ない、
前記決定手段は、前記最大値の微分に用いられたカフ圧を補正することにより、血圧を決定する、請求項１に記載の血圧測定装置。
【請求項４】
前記包絡線は、前記容積脈波に含まれる脈波成分それぞれの動脈容積最小点に接する容積最小点包絡線を含み、
前記微分手段は、前記容積最小点包絡線を微分し、
前記第２の抽出手段は、前記容積最小点包絡線の微分値の最大値を表わす第１最大値、および、前記第１最大値の前後の微分値を抽出し、
前記決定手段は、前記第１最大値の微分に用いられたカフ圧を、前記第１最大値と前記
前後の微分値と前記圧力差とに基づいて補正をすることで、最低血圧を決定する、請求項３に記載の血圧測定装置。
【請求項５】
前記包絡線は、前記容積脈波に含まれる脈波成分それぞれの動脈容積最大点に接する容積最大点包絡線を含み、
前記微分手段は、前記容積最大点包絡線を微分し、
前記第２の抽出手段は、前記容積最大点包絡線の微分値の最大値を表わす第２最大値、および、前記第２最大値の前後の微分値を抽出し、
前記決定手段は、前記第２最大値の微分に用いられたカフ圧を、前記第２最大値と前記前後の微分値と前記圧力差とに基づいて補正をすることで、最高血圧を決定する、請求項３または４に記載の血圧測定装置。
【請求項６】
前記容積検出手段は、
前記動脈に対して光を照射するための発光素子と、
前記発光素子によって照射された光の前記動脈の透過光を受光するための受光素子とを含む、請求項１〜５のいずれかに記載の血圧測定装置。
【請求項７】
前記容積検出手段は、前記動脈を含む部位のインピーダンスを検出するための複数の電極を含む、請求項１〜５のいずれかに記載の血圧測定装置。
【請求項８】
動脈容積データおよびカフ圧データを時系列に記憶する記憶部を備えた情報処理装置において実行されるプログラムであって、
前記動脈容積データに基づく容積脈波についての包絡線を抽出するステップと、
前記包絡線を、前記カフ圧データに基づくカフ圧で微分するステップと、
前記包絡線の微分値の最大値を抽出するステップと、
前記最大値の微分に用いられたカフ圧に基づいて、血圧を決定するステップとを前記情報処理装置に実行させ、
前記包絡線は、前記容積脈波に含まれる脈波成分それぞれの動脈容積最小点に接する容積最小点包絡線と、前記容積脈波に含まれる脈波成分それぞれの動脈容積最大点に接する容積最大点包絡線を含み、
前記微分するステップでは、前記容積最小点包絡線と前記容積最大点包絡線をそれぞれ微分し、
前記最大値を抽出するステップでは、前記容積最小点包絡線の微分値の最大値を表わす第１最大値と、前記容積最大点包絡線の微分値の最大値を表わす第２最大値を抽出し、
前記決定するステップでは、前記第１最大値の微分に用いられたカフ圧を最低血圧として、前記第２最大値の微分に用いられたカフ圧を最高血圧としてそれぞれ決定する、血圧導出プログラム。
【請求項９】
動脈容積データおよびカフ圧データを時系列に記憶する記憶部と、演算処理部とを備えた情報処理装置において実行される血圧導出方法であって、
前記演算処理部が、前記動脈容積データに基づく容積脈波についての包絡線を抽出するステップと、
前記演算処理部が、前記包絡線を、前記カフ圧データに基づくカフ圧で微分するステップと、
前記演算処理部が、前記包絡線の微分値の最大値を抽出するステップと、
前記演算処理部が、前記最大値の微分に用いられたカフ圧に基づいて、血圧を決定するステップとを備え、
前記包絡線は、前記容積脈波に含まれる脈波成分それぞれの動脈容積最小点に接する容積最小点包絡線と、前記容積脈波に含まれる脈波成分それぞれの動脈容積最大点に接する容積最大点包絡線を含み、
前記微分するステップでは、前記容積最小点包絡線と前記容積最大点包絡線をそれぞれ微分し、
前記最大値を抽出するステップでは、前記容積最小点包絡線の微分値の最大値を表わす第１最大値と、前記容積最大点包絡線の微分値の最大値を表わす第２最大値を抽出し、
前記決定するステップでは、前記第１最大値の微分に用いられたカフ圧を最低血圧として、前記第２最大値の微分に用いられたカフ圧を最高血圧としてそれぞれ決定する、血圧導出方法。
【発明の詳細な説明】
【技術分野】
【０００１】
本発明は、血圧測定装置、血圧導出プログラムおよび血圧導出方法に関し、特に、動脈容積とカフ圧とを検出可能な血圧測定装置、ならびに、動脈容積とカフ圧とに基づいて血圧を導出する血圧導出プログラムおよび血圧導出方法に関する。
【背景技術】
【０００２】
血圧は循環器疾患を解析する指標の一つであり、血圧に基づいてリスク解析を行うことは、脳卒中、心不全、心筋梗塞などの心血管系の疾患の予防に有効である。なかでも、早朝に血圧が上昇する早朝高血圧は心臓病や脳卒中などに関係している。さらに、早朝高血圧の中でも、モーニングサージと呼ばれる起床後１時間から１時間半ぐらいの間に急激に血圧が上昇する症状は、脳卒中との因果関係があることが判明している。
【０００３】
そのため、最高血圧および最低血圧を自動的に測定することのできる様々な血圧計が提案されている。
【０００４】
たとえば、オシロメトリック法（振動法）により血圧を測定する電子血圧計が市販されている。このような血圧計は、測定部位に巻かれた腕帯（カフ）内の圧力（カフ圧）を最高血圧より高く加圧し、その後カフ圧を徐々に減圧していく過程において、血圧の脈動に伴う動脈の容積変化をカフ圧の振動として圧力センサで検出する（たとえば特許文献１）。脈波の最大振幅値が検出された時点に対応するカフ圧が平均血圧として決定される。オシロメトリック法によれば、最高血圧および最低血圧は、カフ圧と脈波振幅とに所定のアルゴリズムを適用して算出される。
【０００５】
また、容積振動法による血圧測定方法も提案されている（非特許文献１）。具体的には、カフに容積脈波センサを設け、カフ圧を加圧（または減圧）する過程で容積脈波成分（ΔＶ）を計測し、その振幅最大点および消失点（または出現点）を検出する。検出したそれぞれの点に対応したカフ圧を、平均血圧および最高血圧として算出する。容積振動法によれば、最低血圧は、平均血圧および最高血圧を所定の計算式に当てはめて算出される。
【特許文献１】特公平３−８１３７５号公報
【非特許文献１】山越  憲一、「指容積脈波による血圧計測」、医科器械学、昭和５８年１１月１日発行、第５３巻、第１１号  別冊、ｐ．２４−２８
【発明の開示】
【発明が解決しようとする課題】
【０００６】
ところが、オシロメトリック法における脈波振幅の発生機序に立ち返ってみると、カフ圧の減圧（または加圧）中に脈波振幅が最大となった点が平均血圧であること以外は明らかになっていない。
【０００７】
また、容積振動法においても、最高血圧および平均血圧が決定できるだけであり、最低血圧は正確に決定できなかった。
【０００８】
本発明は、上記のような問題を解決するためになされたものであって、その目的は、カフ圧と脈波振幅の発生機序とに基づいて、正確に血圧（最高血圧および最低血圧）を導出することのできる血圧測定装置、血圧導出プログラムおよび血圧導出方法を提供することである。
【課題を解決するための手段】
【０００９】
この発明のある局面に従う血圧測定装置は、被測定者の所定の身体部位に巻き付けるためのカフと、カフ内の圧力を表わすカフ圧を検出するための圧力検出手段と、カフに設けられ、被測定者の動脈の容積を示す動脈容積信号を検出するための容積検出手段と、カフ圧および動脈容積信号とに基づいて、被測定者の血圧を導出するための導出制御を行なう導出制御手段とを備え、導出制御手段は、動脈容積信号に基づく容積脈波についての包絡線を抽出するための第１の抽出手段と、包絡線をカフ圧で微分するための微分手段と、包絡線の微分値の最大値を抽出するための第２の抽出手段と、最大値の微分に用いられたカフ圧に基づいて、血圧を決定するための決定手段とを含む。
【００１０】
好ましくは、包絡線は、容積脈波に含まれる脈波成分それぞれの動脈容積最小点に接する容積最小点包絡線を含み、微分手段は、容積最小点包絡線を微分し、第２の抽出手段は、容積最小点包絡線の微分値の最大値を表わす第１最大値を抽出し、決定手段は、第１最大値の微分に用いられたカフ圧を、最低血圧として決定する。
【００１１】
好ましくは、包絡線は、容積脈波に含まれる脈波成分それぞれの動脈容積最大点に接する容積最大点包絡線を含み、微分手段は、容積最大点包絡線を微分し、第２の抽出手段は、容積最大点包絡線の微分値の最大値を表わす第２最大値を抽出し、決定手段は、第２最大値の微分に用いられたカフ圧を、最高血圧として決定する。
【００１２】
好ましくは、カフ内の圧力を調整するための調整手段と、調整手段の駆動を制御するための駆動制御手段とをさらに備え、導出制御手段は、駆動制御手段によりカフ圧が一定速度で減圧または加圧されている際に、導出制御を行なう。
【００１３】
好ましくは、カフ内の圧力を調整するための調整手段と、調整手段の駆動を制御するための駆動制御手段とをさらに備え、導出制御手段は、駆動制御手段によりカフ圧が所定の圧力差で段階的に減圧または加圧の制御がされている際に、導出制御を行ない、決定手段は、最大値の微分に用いられたカフ圧を補正することにより、血圧を決定する。
【００１４】
好ましくは、包絡線は、容積脈波に含まれる脈波成分それぞれの動脈容積最小点に接する容積最小点包絡線を含み、微分手段は、容積最小点包絡線を微分し、第２の抽出手段は、容積最小点包絡線の微分値の最大値を表わす第１最大値、および、第１最大値の前後の微分値を抽出し、決定手段は、第１最大値の微分に用いられたカフ圧を、第１最大値と前後の微分値と圧力差とに基づいて補正をすることで、最低血圧を決定する。
【００１５】
好ましくは、包絡線は、容積脈波に含まれる脈波成分それぞれの動脈容積最大点に接する容積最大点包絡線を含み、微分手段は、容積最大点包絡線を微分し、第２の抽出手段は、容積最大点包絡線の微分値の最大値を表わす第２最大値、および、第２最大値の前後の微分値を抽出し、決定手段は、第２最大値の微分に用いられたカフ圧を、第２最大値と前後の微分値と圧力差とに基づいて補正をすることで、最高血圧を決定する。
【００１６】
好ましくは、容積検出手段は、動脈に対して光を照射するための発光素子と、発光素子によって照射された光の動脈の透過光を受光するための受光素子とを含む。
【００１７】
好ましくは、容積検出手段は、動脈を含む部位のインピーダンスを検出するための複数の電極を含む。
【００１８】
この発明の他の局面に従う血圧導出プログラムは、動脈容積データおよびカフ圧データを時系列に記憶する記憶部を備えた情報処理装置において実行されるプログラムであって、動脈容積データに基づく容積脈波についての包絡線を抽出するステップと、包絡線を、カフ圧データに基づくカフ圧で微分するステップと、包絡線の微分値の最大値を抽出するステップと、最大値の微分に用いられたカフ圧に基づいて、血圧を決定するステップとを情報処理装置に実行させる。
【００１９】
この発明のさらに他の局面に従う血圧導出方法は、動脈容積データおよびカフ圧データを時系列に記憶する記憶部と、演算処理部とを備えた情報処理装置において実行される血圧導出方法であって、演算処理部が、動脈容積データに基づく容積脈波についての包絡線を抽出するステップと、演算処理部が、包絡線を、カフ圧データに基づくカフ圧で微分するステップと、演算処理部が、包絡線の微分値の最大値を抽出するステップと、演算処理部が、最大値の微分に用いられたカフ圧に基づいて、血圧を決定するステップとを備える。
【発明の効果】
【００２０】
本発明によると、カフ圧と脈波振幅の発生機序とに基づいて、正確に血圧を導出することができる。
【発明を実施するための最良の形態】
【００２１】
本発明の実施の形態について図面を参照しながら詳細に説明する。なお、図中同一または相当部分には同一符号を付してその説明は繰返さない。
【００２２】
［実施の形態］
＜外観および構成について＞
はじめに、本発明の実施の形態に係る血圧測定装置（以下、単に「血圧計」という）１の外観および構成について説明する。
【００２３】
図１は、本発明の実施の形態に係る血圧計１の外観斜視図である。
図１を参照して、血圧計１は、本体部１０と、被測定者の手首に巻き付け可能なカフ２０とを備える。本体部１０はカフ２０に取り付けられている。本体部１０の表面には、たとえば液晶等により構成される表示部４０と、ユーザ（被測定者）からの指示を受付けるための操作部４１とが配置されている。操作部４１は、複数のスイッチを含む。
【００２４】
なお、本実施の形態において、カフ２０は、被測定者の手首に装着されるものとして説明する。しかしながら、カフ２０が装着される部位（測定部位）は、手首に限定されるものではなく、たとえば、上腕であってもよい。
【００２５】
また、本実施の形態における血圧計１は、図１に示されるように、本体部１０がカフ２０に取り付けられた形態を例に説明する。しかしながら、上腕式の血圧計で採用されているような、本体部１０とカフ２０とがエアチューブ（図２においてエアチューブ３１）によって接続される形態のものであってもよい。
【００２６】
ところで、従来より採用されているオシロメトリック法による血圧測定の原理では、上述のように、正確に最高血圧および最低血圧を導出することができない。そのため、これまで様々なアルゴリズムが開発されている。ところが、それらのアルゴリズムはいずれもオシロメトリック法における脈波振幅の発生機序に基づくものではないため、人によっては測定誤差が発生することもあった。
【００２７】
また、オシロメトリック法は、動脈の容積変化が生体を介してカフに伝達されて発生する情報（容積変化）を、カフ圧の振動として検出している。一般に、カフの容積変化によるカフ圧振動のレベルは、カフを構成する外布や空気袋の特性により、同じ容積変化をカフに伝達したとしても、カフ圧、巻き方、測定部位の周囲長に依存する空気袋の容積などの要因によって異なって検出され得る。当然、動脈の容積変化が生体を介してカフに伝達されているため、測定部位の生体的特徴（筋肉や脂肪などの量、腱，骨などの要素）によって動脈容積の伝達も異なってしまう。これらの要因も測定誤差の一因となっていた。
【００２８】
そこで、本実施の形態に係る血圧計１は、脈波振幅の発生機序である動脈の力学的特性に基づいて血圧を決定（測定）する。
【００２９】
図１５は、動脈の力学特性を示すグラフである。図１５のグラフは、横軸に内外圧差Ｐｔｒ、縦軸に動脈容積Ｖをとり、内外圧差Ｐｔｒと動脈容積Ｖとの関係を示している。内外圧差Ｐｔｒは、動脈内圧Ｐａと、生体の外部からカフによって印可されるカフ圧Ｐｃの差を示す。
【００３０】
このグラフに示されるように、動脈の力学特性は、一般的に強い非線形性を示し、内外圧差Ｐｔｒが０のとき、すなわち、動脈壁が無負荷状態のとき、動脈のコンプライアンスが最大となり、脈圧変動に対応した容積変化が最大となる。
【００３１】
このことより、カフ圧を加圧または減圧する過程において動脈容積を検出し、その動脈容積をカフ圧で微分し、その最大値が得られるカフ圧が動脈内圧と一致することが分かる。
【００３２】
本実施の形態に係る血圧計１は、動脈壁が無負荷状態になる点が微分結果の最大値となることを利用して、最高血圧および最低血圧を決定する。
【００３３】
図２は、本発明の実施の形態に係る血圧計１のハードウェア構成を表わすブロック図である。
【００３４】
図２を参照して、血圧計１のカフ２０は、空気袋２１と、動脈容積センサ７０とを含む。動脈容積センサ７０は、発光素子７１と受光素子７２とを有する。発光素子７１は、動脈に対して光を照射し、受光素子７２は、発光素子７１によって照射された光の動脈の透過光を受光する。発光素子７１および受光素子７２は、空気袋２１の内側に所定の間隔に配置される。
【００３５】
なお、動脈容積センサ７０は、動脈の容積が検出できるものであればよく、インピーダンスにより動脈の容積を検出するものであってもよい。その場合、発光素子７１および受光素子７２に代えて、動脈を含む部位のインピーダンスを検出するための複数の電極が含まれる。
【００３６】
空気袋２１は、エアチューブ３１を介して、エア系３０に接続される。
本体部１０は、上述の表示部４０および操作部４１に加え、エア系３０と、各部を集中的に制御し、各種演算処理を行なうためのＣＰＵ（Central Processing Unit）１００と、ＣＰＵ１００に所定の動作をさせるプログラムや各種データを記憶するためのメモリ部４２と、測定された血圧を記憶するための不揮発性メモリ（たとえばフラッシュメモリ）４３と、ＣＰＵ１００に電力を供給するための電源４４と、計時動作を行なう計時部４５と、着脱可能な記録媒体１３２からプログラムやデータの読み出しおよび書き込みをするためのインターフェイス部４６とを含む。
【００３７】
操作部４１は、電源をＯＮまたはＯＦＦするための指示の入力を受付ける電源スイッチ４１Ａと、測定開始の指示を受付けるための測定スイッチ４１Ｂと、測定停止の指示を受付けるための停止スイッチ４１Ｃと、フラッシュメモリ４３に記録された血圧などの情報を読み出す指示を受付けるためのメモリスイッチ４１Ｄとを有する。
【００３８】
エア系３０は、空気袋２１内の圧力（カフ圧）を検出するための圧力センサ３２と、カフ圧を加圧するために、空気袋２１に空気を供給するためのポンプ５１と、空気袋２１の空気を排出しまたは封入するために開閉される弁５２とを含む。
【００３９】
本体部１０は、発光素子駆動回路７３と、動脈容積検出回路７４と、上記エア系３０に関連して、発振回路３３と、ポンプ駆動回路５３と、弁駆動回路５４とをさらに含む。
【００４０】
発光素子駆動回路７３は、ＣＰＵ１００からの指令信号に応じて発光素子７１を所定のタイミングで発光させる。動脈容積検出回路７４は、受光素子７２からの出力を電圧値に変換することで動脈容積を検知する。
【００４１】
圧力センサ３２は、静電容量形の圧力センサであり、カフ圧により容量値が変化する。発振回路３３は、圧力センサ３２の容量値に応じた発振周波数の信号をＣＰＵ１００に出力する。ＣＰＵ１００は、発振回路３３から得られる信号を圧力に変換し圧力を検知する。ポンプ駆動回路５３は、ポンプ５１の駆動をＣＰＵ１００から与えられる制御信号に基づいて制御する。弁駆動回路５４は弁５２の開閉制御をＣＰＵ１００から与えられる制御信号に基づいて行なう。
【００４２】
なお、カフ２０には空気袋２１が含まれることとしたが、カフ２０に供給される流体は空気に限定されるものではなく、たとえば液体やゲルであってもよい。あるいは、流体に限定されるものではなく、マイクロビーズなどの均一な微粒子であってもよい。
【００４３】
図３は、本発明の実施の形態に係る血圧計１の機能構成を示す機能ブロック図である。
図３を参照して、ＣＰＵ１００は、駆動制御部１０１と、容積信号検出処理部１０２と、カフ圧取得部１０３と、被測定者の血圧を導出するための制御を行なう導出制御部１０４と、格納処理部１０６と、表示制御部１０８とを含む。なお、図３には、これらの機能ブロックとの間で直接的に信号やデータが授受されるハードウェアのみ示されている。
【００４４】
駆動制御部１０１は、カフ圧を調整するために、ポンプ駆動回路５３および弁駆動回路５４に制御信号を送信する。具体的には、カフ圧を所定値まで加圧し、徐々にカフ圧を減圧する制御を行なう。本実施の形態では、カフ圧を一定速度で減圧する過程において、導出制御部１０４による血圧導出処理が行なわれる。なお、カフ圧を徐々に加圧する過程において、血圧導出処理が行なわれてもよい。
【００４５】
導出制御部１０４は、包絡線抽出部１１３と、微分処理部１１４と、最大値抽出部１１５と、血圧決定部１１６とを有する。
【００４６】
容積信号検出処理部１０２は、駆動制御部１０１によるカフ圧の減圧と並行して、発光素子７１を所定のタイミングで駆動させるように発光素子駆動回路７３に制御信号を送る。また、容積信号検出処理部１０２は、動脈容積検出回路７４からの動脈容積信号を連続的に検出し、容積脈波を取得する。動脈の容積は、血圧の脈動により変化する。本実施の形態において「容積脈波」とは、カフ圧に応じて現れる動脈容積の変化を示す曲線であり、たとえば図４の波形ＰＧで示される。
【００４７】
容積信号検出処理部１０２が検出した容積脈波は、包絡線抽出部１１３に出力される。
カフ圧取得部１０３は、駆動制御部１０１による制御と並行して、発振回路３３から得られる信号を圧力に変換し、圧力を連続的に取得する。取得されたカフ圧は、微分処理部１１４に出力される。なお、カフ圧は、駆動制御部１０１にも出力される。
【００４８】
導出制御部１０４の機能を説明するに際し、図４をさらに参照する。図４は、加圧中における容積脈波および微分曲線（後述）を示すグラフである。
【００４９】
包絡線抽出部１１３は、容積信号検出処理部１０２が検出した容積脈波についての包絡線を抽出する。より具体的には、容積脈波を構成する脈波成分それぞれの動脈容積最小点に接する容積最小点包絡線、および、脈波成分それぞれの動脈容積最大点に接する容積最大点包絡線を抽出する。ここでの各「脈波成分」は、脈動１拍ごとの動脈容積の変化に対応しているものとする。
【００５０】
本実施の形態では、生体内に入射した近赤外光が動脈中のヘモグロビンに吸収される特性を利用して動脈容積を検出している。動脈の容積が大きい場合は、ヘモグロビン量が多いため、受光される量は小さくなる。逆に、動脈の容積が小さい場合は、ヘモグロビンの量が少ないため、受光される量が大きくなる。
【００５１】
そのため、容積脈波の脈波成分の最大点（すなわち動脈容積が最小の点）をつないだライン（容積最小点包絡線）ＰＧＤＩＡが最低血圧のときの動脈容積を表わし、逆に、最小点（すなわち動脈容積が最大の点）をつないだライン（容積最大点包絡線）ＰＧＳＹＳが最高血圧のときの動脈容積を表わすことになる。
【００５２】
抽出された包絡線の情報は、微分処理部１１４に出力される。
微分処理部１１４は、包絡線抽出部１１３が抽出した包絡線を、カフ圧取得部１０３が取得したカフ圧で微分する。具体的には、微分処理部１１４は、容積最小点包絡線ＰＧＤＩＡおよび容積最大点包絡線ＰＧＳＹＳをカフ圧で微分し、各微分値を算出する。以下の説明において、前者についての微分値を第１微分値、後者についての微分値を第２微分値ともいう。図４中、第１微分値を結んだ波形が、ｄＰＧＤＩＡ／ｄＰｃで示されている。第２微分値を結んだ波形が、ｄＰＧＳＹＳ／ｄＰｃで示されている。本実施の形態において、これらの波形を、微分曲線という。
【００５３】
算出された第１および第２微分値は、最大値抽出部１１５に出力される。
最大値抽出部１１５は、包絡線の微分値の最大値、すなわち、微分曲線の最大値（ピーク）を抽出する。図４を参照すると、具体的には、最大値抽出部１１５は、第１微分値および第２微分値それぞれについて、微分最大値ＭＡＸ１およびＭＡＸ２を抽出する。抽出された各微分最大値の情報は、血圧決定部１１６に出力される。
【００５４】
血圧決定部１１６は、微分最大値に対応するカフ圧（つまり、微分最大値の微分に用いられたカフ圧）に基づいて、血圧を決定する。以下、このようなカフ圧を「特定カフ圧」ともいう。
【００５５】
図４を参照すると、具体的には、血圧決定部１１６は、第１微分値の最大値ＭＡＸ１に対応するカフ圧を、最小血圧ＤＩＡとして決定する。また、第２微分値の最大値ＭＡＸ２に対応するカフ圧を、最高血圧ＳＹＳとして決定する。決定された血圧の情報は、格納処理部１０６および表示制御部１０８に出力される。
【００５６】
格納処理部１０６は、血圧決定部１１６が決定した血圧（最小血圧および最高血圧）を、測定日時と関連付けてフラッシュメモリ４３に格納する。これにより、フラッシュメモリ４３には、測定の度に、血圧データと日時データとが関連付けられた測定データが記録される。
【００５７】
表示制御部１０８は、血圧決定部１１６が決定した血圧（最小血圧および最高血圧）を表示部４０に表示する制御を行なう。これにより、表示部４０には、被測定者の血圧が表示される。
【００５８】
なお、ＣＰＵ１００に含まれる各機能ブロックの動作は、メモリ部４２中に格納されたソフトウェアを実行することで実現されてもよいし、これらの機能ブロックのうち少なくとも１つについては、ハードウェアで実現されてもよい。
【００５９】
あるいは、ハードウェア（回路）として記載したブロックのうち少なくとも１つについては、ＣＰＵ１００がメモリ部４２中に格納されたソフトウェアを実行することで実現されてもよい。
【００６０】
＜動作について＞
次に、本実施の形態における血圧計１の動作について説明する。
【００６１】
図５は、本発明の実施の形態における血圧計が実行する血圧測定処理を示すフローチャートである。図５のフローチャートに示す処理は、予めプログラムとしてメモリ部４２に格納されており、ＣＰＵ１００がこのプログラムを読み出して実行することにより、血圧測定処理の機能が実現される。
【００６２】
図５を参照して、初めに、ＣＰＵ１００は、電源スイッチ４１Ａが押下されたか否かを判断する（ステップＳ１０２）。ＣＰＵ１００は、電源スイッチ４１Ａが押下されるまで待機する（ステップＳ１０２においてＮＯ）。ＣＰＵ１００は、電源スイッチ４１Ａが押下されたと判断した場合（ステップＳ１０２においてＹＥＳ）、ステップＳ１０４に進む。
【００６３】
ステップＳ１０４において、ＣＰＵ１００は、初期化処理を行なう。具体的には、メモリ部４２の所定の領域を初期化し、空気袋２１の空気を排気し、圧力センサ３２の補正を行なう。
【００６４】
次に、ＣＰＵ１００は、測定スイッチ４１Ｂが押下されたか否かを判断する（ステップＳ１０６）。ＣＰＵ１００は、測定スイッチ４１Ｂが押下されるまで待機する（ステップＳ１０６においてＮＯ）。ＣＰＵ１００は、測定スイッチ４１Ｂが押下されたと判断した場合（ステップＳ１０６においてＹＥＳ）、ステップＳ１０８に進む。
【００６５】
ステップＳ１０８において、駆動制御部１０１は、ポンプ駆動回路５３および弁駆動回路５４を制御して、カフ圧を所定値まで加圧する処理を行なう。具体的には、弁５２を閉鎖し、ポンプ５１によりカフ圧を所定値まで徐々に加圧する。ここで、所定値とは、予め設定された圧力値であるものとする。しかしながら、これに代えて、加圧中に検出された脈波情報や、算出された血圧値，脈拍数に基づいて決定された圧力値であってもよい。または、ユーザ（被測定者）が測定スイッチ４１Ｂを押し続けている間、加圧を続けることとしてもよい。
【００６６】
続いて、駆動制御部１０１は、カフ圧を徐々に減圧する処理を行なう（ステップＳ１１０）。具体的には、ポンプ５１を停止し、弁５２の開放量を制御して、カフ圧を徐々に減圧していく。
【００６７】
ステップＳ１１０の処理に並行して、容積信号検出処理部１０２は、動脈容積検出回路７４からの信号に基づき、動脈容積を検出し、メモリ部４２の所定の領域に時系列に記録する（ステップＳ１１２）。これにより、容積脈波が得られる。
【００６８】
続いて、カフ圧取得部１０３は、発振回路３３からの信号に基づき、カフ圧を取得し、メモリ部４２の所定の領域に時系列に記録する（ステップＳ１１４）。
【００６９】
なお、ステップＳ１１２の処理とステップＳ１１４の処理とは並行して行なわれてよい。
【００７０】
本実施の形態では、リアルタイムで血圧導出処理が実行される。したがって、以下のステップＳ１１６〜ステップＳ１２０の処理も、カフ圧の減圧処理と並行して実行される。
【００７１】
ステップＳ１１６において、導出制御部１０４は、最高血圧が決定済みか否かを判断する。最高血圧が決定済みでないと判断した場合（ステップＳ１１６においてＮＯ）、ステップＳ１１８に進む。一方、最高血圧が決定済みであると判断した場合（ステップＳ１１６においてＹＥＳ）、ステップＳ１２０に進む。
【００７２】
ステップＳ１１８において、導出制御部１０４は、最高血圧導出処理を実行する。この最高血圧導出処理については、図７に示すサブルーチンを用いて後に詳細に説明する。
【００７３】
ステップＳ１２０において、導出制御部１０４は、最低血圧導出処理を実行する。この最低血圧導出処理については、図６に示すサブルーチンを用いて後に詳細に説明する。
【００７４】
なお、最低血圧導出処理と最高血圧導出処理とは、並行して実行されてよい。
次に、導出制御部１０４は、最低血圧が決定済みであるか否かを判断する（ステップＳ１２２）。最低血圧が決定済みでないと判断した場合（ステップＳ１２２においてＮＯ）、ステップＳ１１０に戻り、上記処理が繰り返される。
【００７５】
一方、最低血圧が決定済みであると判断した場合（ステップＳ１２２においてＹＥＳ）、ステップＳ１２４に進む。
【００７６】
ステップＳ１２４において、駆動制御部１０１は、弁駆動回路５４を制御して弁５２を完全に開放し、空気を排気する。
【００７７】
排気処理が終わると、表示制御部１０８は、決定された最高血圧および最低血圧を表示部４０に表示する（ステップＳ１２６）。また、格納処理部１０６は、決定された最高血圧および最低血圧を、計時部４５からの計時データと対応付けて、フラッシュメモリ４３に格納する（ステップＳ１２８）。
【００７８】
以上で本実施の形態における血圧測定処理は終了される。
図６は、本発明の実施の形態における最低血圧導出処理を示すフローチャートである。
【００７９】
図６を参照して、包絡線抽出部１１３は、容積脈波の容積最小点包絡線を抽出する（ステップＳ２０２）。なお、容積最小点包絡線が抽出可能となるまでは、以降の処理は行なわれることなく、処理はメインルーチンに戻される。
【００８０】
次に、微分処理部１１４は、抽出された容積最小点包絡線をカフ圧で微分する（ステップＳ２０４）。このカフ圧は、容積脈波の直近の容積最小点が抽出された時点におけるカフ圧である。
【００８１】
最大値抽出部１１５は、微分値のピークを検出する（ステップＳ２０６）。微分値のピークが検出されたと判断した場合（ステップＳ２０６においてＹＥＳ）、ステップＳ２０８に進む。一方、微分値のピークが検出されていないと判断した場合（ステップＳ２０６においてＮＯ）、処理はメインルーチンに戻される。
【００８２】
ステップＳ２０８において、血圧決定部１１６は、微分最大値に対応する特定カフ圧を、最低血圧として決定し、メモリ部４２の所定の領域に一時的に記録する。この処理が終わると、処理はメインルーチンに戻される。
【００８３】
図７は、本発明の実施の形態における最高血圧導出処理を示すフローチャートである。
図７を参照して、包絡線抽出部１１３は、容積脈波の容積最大点包絡線を抽出する（ステップＳ３０２）。なお、容積最大点包絡線が抽出可能となるまでは、以降の処理は行なわれることなく、処理はメインルーチンに戻される。
【００８４】
次に、微分処理部１１４は、抽出された容積最大点包絡線をカフ圧で微分する（ステップＳ３０４）。このカフ圧は、容積脈波の直近の容積最大点が抽出された時点におけるカフ圧である。
【００８５】
最大値抽出部１１５は、微分値のピークを検出する（ステップＳ３０６）。微分値のピークが検出されたと判断した場合（ステップＳ３０６においてＹＥＳ）、ステップＳ３０８に進む。一方、微分値のピークが検出されていないと判断した場合（ステップＳ３０６においてＮＯ）、処理はメインルーチンに戻される。
【００８６】
ステップＳ３０８において、血圧決定部１１６は、微分最大値に対応する特定カフ圧を、最高血圧として決定し、メモリ部４２の所定の領域に一時的に記録する。この処理が終わると、処理はメインルーチンに戻される。
【００８７】
上述のように、本実施の形態における血圧決定方法は、その機序を動脈の容積変化においているため、正確に血圧を決定することができる。特に、従来のオシロメトリック法や容積振動法では決定が困難であった最低血圧も容易かつ正確に決定することが可能となる。
【００８８】
＜表示例および測定データ格納例について＞
図８は、図５のステップＳ１２６において表示される画面の一例を示す図である。
【００８９】
図８を参照して、表示部４０の領域４０１には、測定日時が表示される。測定日時は、たとえば、測定スイッチ４１Ｂが押下された時点に対応している。表示部４０の領域４０２には、図７のステップＳ３０８で決定された最高血圧が表示される。表示部４０の領域４０３には、図６のステップＳ２０８で決定された最低血圧が表示される。また、表示部４０の領域４０４には、公知の手法で算出された脈拍数が表示される。
【００９０】
図９は、測定データのデータ構造の一例を示す図である。
図９を参照して、測定値と測定日時とが対応付けられたレコードが、測定データＭ１〜Ｍｍ（ただし、ｍ＝１，２，３，…）として格納される。各測定データには、最高血圧を示す最高血圧データＳＢＰ、最低血圧を示す最低血圧データＤＢＰ、脈拍数を示す脈拍数データＰＬＳ、および、測定日時データＴが含まれる。なお、測定値と測定日時とは、対応付けされて格納されればよく、レコードを用いた格納形式に限定されるものではない。
【００９１】
＜変形例１＞
上記実施の形態では、血圧導出処理は、カフ圧が減圧されている過程でリアルタイムに実行された。これにより、血圧が決定された時点でカフ圧の減圧処理を中断することができ、結果として血圧測定の時間を短縮することもできた。
【００９２】
しかしながら、カフ圧が所定値（たとえば２０mmHg）まで減圧された後に、血圧導出処理が実行されてもよい。その場合の血圧計１の動作について、図１０を参照して簡単に説明する。血圧計１の外観や構成については上記実施の形態と同様である。
【００９３】
図１０は、本発明の実施の形態の変形例１における血圧測定処理を示すフローチャートである。なお、図５のフローチャートと同様の処理については同じステップ番号を付してある。したがって、これらについての説明は繰返さない。
【００９４】
実施の形態と同様に、ステップＳ１０２からステップＳ１１４の処理が実行される。変形例１でも、ステップＳ１１０の減圧処理と、ステップＳ１１２の容積信号検出処理、および、ステップＳ１１４のカフ圧取得処理とが並行して実行される。
【００９５】
ステップＳ１１４の処理が終わると、駆動制御部１０１は、所定値（たとえば２０mmHg）まで減圧したか否かを判断する（ステップＳ５０２）。所定値まで減圧されていないと判断した場合（ステップＳ５０２においてＮＯ）、ステップＳ１１０に戻る。一方、所定値まで減圧されたと判断した場合（ステップＳ５０２においてＹＥＳ）、ステップＳ５０４に進む。
【００９６】
ステップＳ５０４において、包絡線抽出部１１３は、上記ステップＳ１１２およびステップＳ１１４においてメモリ部４２に時系列に記録された、動脈容積データ（すなわち容積脈波データ）およびカフ圧データに基づいて、容積最小点包絡線および容積最大点包絡線を抽出する。次に、微分処理部１１４は、各包絡線をカフ圧で微分する（ステップＳ５０６）。
【００９７】
最大値抽出部１１５は、各微分値の最大値を抽出する（ステップＳ５０８）。血圧決定部１１６は、抽出された微分最大値それぞれに対応する特定カフ圧を、最高血圧および最低血圧として決定する（ステップＳ５１０）。
【００９８】
血圧が決定されると、上記実施の形態と同様に、ステップＳ１２６（表示処理）およびステップＳ１２８（格納処理）が実行される。
【００９９】
以上で、本実施の形態の変形例における血圧測定処理は終了される。
このように、本実施の形態の変形例１によっても、実施の形態と同様の効果を得ることができる。
【０１００】
＜変形例２＞
上記実施の形態およびその変形例１では、カフ圧を徐々に減圧または加圧する過程で、動脈容積信号およびカフ圧を検出するものであった。しかしながら、カフ圧を段階的に（つまり、所定の圧力差で）減圧または加圧する過程で、動脈容積およびカフ圧を検出してもよい。
【０１０１】
この場合、血圧決定部１１６は、特定カフ圧を補正することで、最高血圧および最低血圧を算出することができる。
【０１０２】
変形例２において、最大値抽出部１１５は、第１および第２微分値についての最大値ＭＡＸ１およびＭＡＸ２を抽出すると、さらに、各微分最大値の前後の微分値を抽出する。  
【０１０３】
血圧決定部１１６は、微分最大値ＭＡＸ１とその前後の微分値との圧力差とに基づいて、特定カフ圧を補正する。これにより、最低血圧を決定する。また、血圧決定部１１６は、微分最大値ＭＡＸ２とその前後の微分値との圧力差とに基づいて、特定カフ圧を補正する。これにより、最高血圧を決定する。
【０１０４】
具体的には、たとえば以下のようにして、最低血圧および最高血圧が決定される。
（最低血圧についての補正）
容積脈波の微分値ｄＰＧＤＩＡ／ｄＰｃの最大値ＭＡＸ１と、そのときのカフ圧とを、それぞれ、“dPGDIA/dPc(n)”および“Pc(n)”とする。最大値ＭＡＸ１の前後の微分値を、それぞれ、“dPGDIA/dPc(n-1)”および“dPGDIA/dPc(n+1)”とする。
【０１０５】
最大値ＭＡＸ１とその前の微分値との差（第１の差）、および、最大値ＭＡＸ１とその後の微分値との差（第２の差）を、それぞれ、“ΔdPGDIA/dPc(n-1)”および“ΔdPGDIA/dPc(n+1)”とする。そうすると、第１および第２の差は、それぞれ、次のような式（１），（２）で表わされる。
【０１０６】
ΔdPGDIA/dPc(n-1) = dPGDIA/dPc(n-1) - dPGDIA/dPc    …（１）
ΔdPGDIA/dPc(n+1) = dPGDIA/dPc(n+1) - dPGDIA/dPc    …（２）
血圧決定部１１６は、第１の差（ΔdPGDIA/dPc(n-1)）と第２の差（ΔdPGDIA/dPc(n+1)）とのうち、値の大きい方により、特定カフ圧を補正する。
【０１０７】
第１の差の方が第２の差よりも大きい場合、最低血圧（“DIA”）は、次式（３）により算出される。
【０１０８】
DIA = Pc(n) - ΔdPGDIA/dPc(n-1) / dPGDIA/dPc(n) × ΔPc × α    …（３）
第１の差の方が第２の差以下の場合には、最低血圧は、次式により算出される。
【０１０９】
DIA = Pc(n) + ΔdPGDIA/dPc(n+1) / dPGDIA/dPc(n) × ΔPc × α    …（４）
なお、式（３）および（４）において、“ΔPc”は、段階的に加減圧する圧力差を示し、“α”は所定の定数を示している。
【０１１０】
（最高血圧についての補正）
最高血圧についての補正も、最低血圧についての補正と同様の処理が実行される。そのため、ここでの説明は繰返さない。
【０１１１】
なお、本実施の形態の変形例２における血圧決定処理は、図６のステップＳ２０８，図７のステップＳ３０８，図１０のステップＳ５１０に代えて実行されてよい。
【０１１２】
＜変形例３＞
上記実施の形態およびその変形例１，２では、上述のような血圧測定処理の全てが血圧計１において実行されることとして説明したが、血圧測定処理のうち血圧導出処理は他の情報処理装置（代表的に、パーソナルコンピュータ）において実行されてもよい。つまり、血圧計１と、情報処理装置とを含む血圧測定システムにおいて、上述のような血圧測定処理が実現されてもよい。
【０１１３】
このような場合を、変形例３として説明する。
変形例３では、血圧計１において、図１０に示した血圧測定処理のうち、ステップＳ１０２〜Ｓ５０２の処理が実行され、その後、ステップＳ１１２およびＳ１１４で検出された動脈容積信号およびカフ圧を時系列に記録媒体１３２に記録する処理が実行される。
【０１１４】
図１１は、本発明の実施の形態の変形例３における血圧計１の機能構成を示す機能ブロック図である。
【０１１５】
図１１を参照して、血圧計１のＣＰＵ１００は、駆動制御部１０１と、容積信号検出処理部１０２と、カフ圧取得部１０３と、格納処理部１０６Ａとを含む。
【０１１６】
格納処理部１０６Ａは、容積信号検出処理部１０２により取得された動脈容積（容積脈波）データとカフ圧取得部１０３により取得されたカフ圧データとを含む測定データを、着脱可能な記録媒体１３２に記録する。
【０１１７】
図１２（ａ）は、本発明の実施の形態の変形例３において、記録媒体１３２に記録される測定データ８０のデータ構造の一例を示す図である。
【０１１８】
図１２（ａ）を参照して、記録媒体１３２に格納される測定データ８０の各々は、一例として「ＩＤ情報」、「記録日時」、「血圧情報」の３つのフィールド８１〜８３を含む。各フィールドの内容について概略すると、「ＩＤ情報」フィールド８１は、各測定データを特定するための識別番号などを格納し、「記録日時」フィールド８２は、計時部４５により計時された、各測定データの測定日時や測定期間などの情報を格納する。また、「血圧情報」フィールド８３は、血圧の導出に用いられる動脈容積データおよびカフ圧データを格納する。
【０１１９】
図１２（ｂ）は、測定データに含まれる血圧情報フィールド８３のデータ構造を示す図である。
【０１２０】
図１２（ｂ）を参照して、血圧情報フィールド８３は、「時間データ」を格納する領域８３１と、「動脈容積データ」を格納する領域８３２と、「カフ圧データ」を格納する領域８３３とを有している。
【０１２１】
領域８３１には、サンプリング周期に応じた複数の時間データ１，２，３，・・・，Ｎが格納される。領域８３２には、領域８３１の時間データそれぞれと対応付けて、容積データＶ（１），Ｖ（２），・・・，Ｖ（ｎ）が格納される。領域８３３には、領域８３１の時間データそれぞれと対応付けて、カフ圧データＰ（１），Ｐ（２），・・・，Ｐ（ｎ）が格納される。
【０１２２】
なお、格納形態は、このような例に限定されず、時間（時刻）と各測定値とが対応付けられて記憶されればよい。
【０１２３】
図１３は、本発明の実施の形態の変形例３において、血圧導出処理を実行可能な情報処理装置２００のハードウェア構成の一例を示すブロック図である。
【０１２４】
図１３を参照して、情報処理装置２００は、情報処理装置本体２１０と、モニタ２２０と、キーボード２３０と、マウス２４０とを備え、情報処理装置本体２１０は、ＣＰＵ（Central Processing Unit）２１１と、メモリ２１２と、記憶装置である固定ディスク２１３と、ＦＤ（Flexible Disk）駆動装置２１４と、ＣＤ−ＲＯＭ（Compact Disk-Read Only Memory)駆動装置２１５と、インターフェイス部２１６とを含む。これらのハードウェアは、相互にバスで接続されている。
【０１２５】
ＦＤ駆動装置２１４にはＦＤ２１４ａが装着され、ＣＤ−ＲＯＭ駆動装置２１５にはＣＤ−ＲＯＭ２１５ａが装着される。本実施の形態に従う情報処理装置２００は、ＣＰＵ２１１がメモリ２１２などのハードウェアを用いて、ソフトウェアを実行することで実現される。一般的に、このようなソフトウェアは、ＦＤ２１４ａやＣＤ−ＲＯＭ２１５ａなどの記録媒体に格納されて、またはネットワークなどを介して流通する。そして、このようなソフトウェアは、ＦＤ駆動装置２１４やＣＤ−ＲＯＭ駆動装置２１５などにより記録媒体から読取られて、または通信インターフェイス（図示しない）にて受信されて、固定ディスク２１３に格納される。さらに、固定ディスク２１３からメモリ２１２に読出されて、ＣＰＵ２１１により実行される。
【０１２６】
モニタ２２０は、ＣＰＵ２１１が出力する血圧などの情報を表示するための表示部であって、一例としてＬＣＤ（Liquid Crystal Display）やＣＲＴ（Cathode Ray Tube）などから構成される。マウス２４０は、クリックやスライドなどの動作に応じたユーザ（代表的に、専門医などの診断実施者）からの指令を受付ける。キーボード２３０は、入力されるキーに応じたユーザから指令を受付ける。ＣＰＵ２１１は、プログラムされた命令を順次実行することで、各種の演算を実施する演算処理部である。メモリ２１２は、ＣＰＵ２１１のプログラム実行に応じて各種の情報を記憶する。インターフェイス部２１６は、血圧計１による測定データ８０を受取るための部位であり、本実施の形態においては記録媒体１３２を装着可能なスロットおよびそのスロットを制御する周辺回路などから構成される。なお、記録媒体１３２を装着可能なスロットに代えて、血圧計１とデータ通信可能な通信インターフェイス部として構成してもよい。固定ディスク２１３は、ＣＰＵ２１１が実行するプログラムや、血圧計１から受取った動脈容積データおよびカフ圧データ（測定データ８０）を格納する不揮発性の記憶装置である。また、情報処理装置２００には、必要に応じてプリンタなどの他の出力装置が接続されてもよい。
【０１２７】
ＣＰＵ２１１は、固定ディスク２１３に格納した測定データ８０に基づいて、血圧を導出するための制御を行なう。
【０１２８】
図１４は、本発明の実施の形態の変形例３における情報処理装置２００の機能を示す機能ブロック図である。
【０１２９】
図１４を参照して、情報処理装置２００のＣＰＵ２１１は、包絡線抽出部１１１３、微分処理部１１１４、最大値抽出部１１１５、血圧決定部１１１６および、表示制御部１１０８を含む。これらの機能ブロックの処理は、それぞれ、図３に示した機能ブロックの処理と同様である。したがって、ここでの説明は繰返さない。なお、包絡線抽出部１１１３は、固定ディスク２１３から測定データ８０を読み出して、容積脈波の包絡線（容積最小点包絡線および容積最大点包絡線）を抽出する。また、表示制御部１１０８は、モニタ２２０に最高血圧および最低血圧を表示する。
【０１３０】
このような一般的な情報処理装置２００において血圧導出処理を実現させるためのプログラム（血圧導出プログラム）には、図１０に示した血圧測定処理のうち、ステップＳ５０４，Ｓ５０６，Ｓ５０８，Ｓ５１０，Ｓ１２６の処理が含まれる。
【０１３１】
なお、本発明にかかる血圧導出プログラムは、コンピュータのオペレーティングシステム（ＯＳ）の一部として提供されるプログラムモジュールのうち、必要なモジュールを所定の配列で所定のタイミングで呼出して処理を実行させるものであってもよい。その場合、プログラム自体には上記モジュールが含まれずＯＳと協働して処理が実行される。このようなモジュールを含まないプログラムも、本発明にかかるプログラムに含まれ得る。
【０１３２】
また、本発明にかかる血圧導出プログラムは他のプログラムの一部に組込まれて提供されるものであってもよい。その場合にも、プログラム自体には上記他のプログラムに含まれるモジュールが含まれず、他のプログラムと協働して処理が実行される。このような他のプログラムに組込まれたプログラムも、本発明にかかるプログラムに含まれ得る。
【０１３３】
なお、本発明の実施の形態およびその変形例１，２において血圧計１が実行した血圧測定方法自体を、プログラムとして提供することもできる。
【０１３４】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【０１３５】
【図１】本発明の実施の形態に係る血圧計の外観斜視図である。
【図２】本発明の実施の形態に係る血圧計のハードウェア構成を表わすブロック図である。
【図３】本発明の実施の形態に係る血圧計の機能構成を示す機能ブロック図である。
【図４】加圧中における容積脈波および微分曲線を示すグラフである。
【図５】本発明の実施の形態における血圧計が実行する血圧測定処理を示すフローチャートである。
【図６】本発明の実施の形態における最低血圧導出処理を示すフローチャートである。
【図７】本発明の実施の形態における最高血圧導出処理を示すフローチャートである。
【図８】図５のステップＳ１２６において表示される画面の一例を示す図である。
【図９】測定データのデータ構造の一例を示す図である。
【図１０】本発明の実施の形態の変形例１における血圧測定処理を示すフローチャートである。
【図１１】本発明の実施の形態の変形例３における血圧計の機能構成を示す機能ブロック図である。
【図１２】（ａ）は、本発明の実施の形態の変形例３において、記録媒体に記録される測定データのデータ構造の一例を示す図であり、（ｂ）は、測定データに含まれる血圧情報フィールドのデータ構造を示す図である。
【図１３】本発明の実施の形態の変形例３において、血圧導出処理を実行可能な情報処理装置のハードウェア構成の一例を示すブロック図である。
【図１４】本発明の実施の形態の変形例３における情報処理装置の機能を示す機能ブロック図である。
【図１５】動脈の力学特性を示すグラフである。
【符号の説明】
【０１３６】
１  血圧計、１０  本体部、２０  カフ、２１  空気袋、３０  エア系、３１  エアチューブ、３２  圧力センサ、３３  発振回路、４０  表示部、４１  操作部、４１Ａ  電源スイッチ、４１Ｂ  測定スイッチ、４１Ｃ  停止スイッチ、４１Ｄ  メモリスイッチ、４２  メモリ部、４３  フラッシュメモリ、４４  電源、４５  計時部、４６  インターフェイス部、５１  ポンプ、５２  弁、５３  ポンプ駆動回路、５４  弁駆動回路、７０  動脈容積センサ、７１  発光素子、７２  受光素子、７３  発光素子駆動回路、７４  動脈容積検出回路、８０  測定データ、１００，２１０  ＣＰＵ、１０１  駆動制御部、１０２  容積信号検出処理部、１０３  カフ圧取得部、１０４  導出制御部、１０６，１０６Ａ  格納処理部、１０８，１１０８  表示制御部、１１３，１１１３  包絡線抽出部、１１４，１１１４  微分処理部、１１５，１１１５  最大値抽出部、１１６，１１１６  血圧決定部、１３２  記録媒体、２００  情報処理装置、２１０  情報処理装置本体、２１２  メモリ、２１３  固定ディスク、２１４  ＦＤ駆動装置、２１５  ＣＤ−ＲＯＭ駆動装置、２１６  インターフェイス部、２２０  モニタ、２３０  キーボード、２４０  マウス。
【図１】
0005098721.tif 000002
【図２】
0005098721.tif 000003
【図３】
0005098721.tif 000004
【図４】
0005098721.tif 000005
【図５】
0005098721.tif 000006
【図６】
0005098721.tif 000007
【図７】
0005098721.tif 000008
【図８】
0005098721.tif 000009
【図９】
0005098721.tif 000010
【図１０】
0005098721.tif 000011
【図１１】
0005098721.tif 000012
【図１２】
0005098721.tif 000013
【図１３】
0005098721.tif 000014
【図１４】
0005098721.tif 000015
【図１５】
0005098721.tif 000016